(57)【特許請求の範囲】
【請求項１】
被観察物体から対物光学系と接眼光学系を介して観察者の眼に到る観察光路中に、光束の一部を透過し光束の一部を反射する光透過反射部材を配置し、光源からの光束を前記光透過反射部材で反射させて前記被観察物体に照射し前記被観察物体で反射した反射光を前記光透過反射部材で透過させるように設定し、あるいは前記光源からの光束を前記光透過反射部材で透過させて前記被観察物体に照射し前記被観察物体で反射した反射光を前記光透過反射部材で反射させるように設定した同軸的照明方式の手術用顕微鏡において、
前記光透過反射部材の透過と反射の光量割合を変更する透過反射比率変更手段を具備したことを特徴とする手術用顕微鏡。
【発明の詳細な説明】
【０００１】
【発明の属する技術分野】
本発明は、同軸的照明方式を採用した手術用顕微鏡に関する。
【０００２】
【従来の技術】
元来、手術用顕微鏡は眼科治療においての手術に多く用いられてきた。この手術用顕微鏡は眼底を照明することによりその眼底から反射する赤色反射光を得て観察がなされるものである。理想的な観察と手術を行うためには照明光軸が観察光軸と同軸であることが望ましい。このため、手術用顕微鏡おいては照明光軸を観察光軸と同軸に配置した同軸的照明方式が採用されてきた。
【０００３】
近年、各診療科において低侵襲の手術が盛んに行われるようになってきており、その際の手術に手術用顕微鏡を用いられることが多くなった。そして、同軸的照明方式は例えば脳神経外科においての場合のように小さな開頭部位から深い位置の患部を照明して観察する際に有効なものである。
【０００４】
【発明が解決しようとする課題】
ところで、手術用顕微鏡は各科によって架台のスタイルこそ異なるものの、観察系そのものには差がないことから、各科の手術で共用できる手術用顕微鏡の提供が望まれている。
【０００５】
従来の手術用顕微鏡における同軸的照明方式としては特開昭６３−２７８１０号公報や特開平２−１４３２１５号公報に記載されたものがあり、これらのものでは光源からの照明光束を半透過性の反射鏡で反射させ、術部に照射している。脳神経外科の場合の照明は術部に比較的強い光を当てているが、眼科の場合には網膜光障害の予防の観点から術部に強い光を当てることには問題である。
【０００６】
脳神経外科の場合の照明を眼科の場合にそのまま使用することには支障があるため、照明光量を減らさざるを得ない。
一般的に照明光量を減す場合、光源自体の発光量を減すか、または光源からの照明光束を絞る方法が採用される。
しかし、手術用顕微鏡においては同軸的照明方式が採用されており、このような方式では観察・照明の同軸光学路の途中に半透過性の反射鏡を介在させる構造となるため、照明光量を減すと、術者に到達する光量は光源を発した光量の１／４となり、観察像が極端に暗くなるという問題が発生する。
【０００７】
以下、これらの関係を数値を用いて表す。脳神経外科で使用するときの光源を発する光量を仮に「１００」とすると、術部に到達する光量は「５０」、術者に到達する光量は「２５」となる。ここで、眼科で使用するために光源を発する光量を「４０」に減光すると、術部に到達する光量は「２０」、術者に到達する光量は「１０」となってしまう。つまり、脳神経外科の場合に術者に到達する光量の半分にも満たない。このため、観察像が極端に暗いものとなってしまう。
【０００８】
本発明は前記課題に着目してなされたもので、その目的とするところは、例えば、脳神経外科のときの照明を減光してそのまま眼科に用いたときに発生する観察像が暗いという問題を解消し、簡便に各科の手術に共用できる手術用顕微鏡を提供することにある。
【０００９】
【課題を解決するための手段】
本発明は被観察物体から対物光学系と接眼光学系を介して観察者の眼に到る観察光路中に、光束の一部を透過し光束の一部を反射する光透過反射部材を配置し、光源からの光束を前記光透過反射部材で反射させて前記被観察物体に照射し前記被観察物体で反射した反射光を前記光透過反射部材で透過させるように設定し、あるいは前記光源からの光束を前記光透過反射部材で透過させて前記被観察物体に照射し前記被観察物体で反射した反射光を前記光透過反射部材で反射させるように設定した同軸的照明方式の手術用顕微鏡において、前記光透過反射部材の透過と反射の光量割合を変更する透過反射比率変更手段を具備したものである。
【００１０】
前記構成により、光源からの照明光束を前記光透過反射部材で反射させて被観察物体に照射し、被観察物体からの観察光束を光透過反射部材で透過させて観察する。
【００１１】
ここで、例えば、光源からの光束を光透過反射部材で反射させて被観察物体に照射し被観察物体で反射した反射光を前記光透過反射部材で透過させるように設定した場合において、その光透過反射部材の透過と反射の光量割合を例えば１対１と４対１とに変更できるものとする。そして、脳神経外科で使用するときの光透過反射部材の透過と反射の光量割合を１対１とし、光源を発する光量を「１００」とすると、術部に到達する光量は「５０」、観察者の眼に到達する光量は「２５」となる。
次に、眼科で使用するときには透過反射比率変更手段により、前記光透過反射部材の透過と反射の光量割合を４対１に変更すると、術部に到達する光量は前記の場合の半分以下の「２０」となるが、観察者の眼に到達する光量は前記の場合の半分以上の「１６」となり、明るさが確保される。
【００１２】
【発明の実施の形態】
＜第１実施形態＞
図１を参照して本発明の第１実施形態を説明する。
（構成）
図１中、１は手術用顕微鏡の対物光学系の対物レンズであり、２は変倍レンズであり、３は結像光学系の結像レンズである。４は接眼光学系の接眼レンズであり、これら対物レンズ１、変倍レンズ２、結像レンズ３、及び接眼レンズ４によって観察光学系を構成している。また、これらの部材は手術用顕微鏡のハウジング５に内蔵されている。ここで、特に、変倍レンズ２、結像レンズ３、および接眼レンズ４については紙面に垂直な方向にずれて左右対となる２つのものが配置され、それぞれが実体視観察用の左右の観察光軸を構成している。前記対物レンズ１は左右の観察光軸のものに共用される。
【００１３】
手術用顕微鏡のハウジング５には照明用光源６と照明用レンズ７が内蔵されており、これらによって照明光学系を構成している。ここでの照明用光源６と照明用レンズ７の部材は前記観察光学系の部材と一緒に同一のハウジング５に組み込まれている。
【００１４】
前記対物レンズ１の前方には光束の一部を透過し光束の一部を反射する光透過反射部材が着脱交換自在に配設される。ここでの光透過反射部材にはハーフミラーが用いられており、図１で示すものはその１つの第１ハーフミラー８である。この第１ハーフミラー８の透過と反射の光量割合は１対１である。
第１ハーフミラー８は第１着脱ハウジング９に内蔵されている。第１着脱ハウジング９は前記ハウジング５側に設けたアリ溝１０に係合する鳩尾部１１を有する。そして、この鳩尾部１１をハウジング５側のアリ溝１０に嵌め込んで係合させることにより、第１着脱ハウジング９をハウジング５側の所定の位置に装着させる。また、このような装着構造であるため、第１着脱ハウジング９はハウジング５から取り外すこともできる。
【００１５】
また、前記第１ハーフミラー８とは別に第２ハーフミラー１２（図示せず）が用意されている。この第２ハーフミラー１２は透過と反射の光量割合が４対１であり、この第２ハーフミラー１２は第２着脱ハウジング１３（図示せず）に内蔵されている。そして、この第２着脱ハウジング１３も、前記第１着脱ハウジング９と同様、ハウジング５側のアリ溝１０に係合する同様な鳩尾部１１を有し、その鳩尾部１１を介してハウジング５側の所定の位置に装着されるようになっている。つまり、別種のハーフミラー８，１２はそれぞれを内蔵したハウジング９，１３を交換することにより所定の位置に装着され、前記光透過反射部材の透過と反射の光量割合を変更する透過反射比率変更手段を構成している。
【００１６】
（作用）
脳神経外科手術においては、第１ハーフミラー８を装着して手術用顕微鏡を使用する。被観察物体の術部１４を観察する場合、光源６を発した照明光は照明用レンズ７により集束した光束となり、第１ハーフミラー８で一部の光束が反射して術部１４に落射される。照明されることにより術部１４から発した光はその一部が前記第１ハーフミラー８を透過し、その後、対物レンズ１、変倍レンズ２、結像レンズ３を順に介して結像面１５に結像され、術者１６はその結像を接眼レンズ４を介して観察する。
【００１７】
ここで、光源６を発する光量を、仮に「１００」とし、また、レンズなど光学部材による損失を零とすると、術部１４に到達する光量は第１ハーフミラー８を介すことにより「５０」となり、さらに術者１６の眼に到達する光量は再び第１ハーフミラー８を介すことから「２５」となる。
【００１８】
次に、同じ手術用顕微鏡を眼科治療においての手術等に用いる場合には、その第１着脱ハウジング９をハウジング５から取り外し、その代わりに別の第２着脱ハウジング１３を装着する。第２着脱ハウジング１３に内蔵する第２ハーフミラー１２の透過と反射の光量割合は４対１である。
【００１９】
そこで、前記同様に光源６を発する光量を、「１００」とすると、術部１４に到達する光量は第２ハーフミラー１２を介すことにより「２０」となり、さらに術者１６に到達する光量は、再び第２ハーフミラー１２を介すことにより「１６」となる。このような状態で眼科などの手術に用いられる。すなわち、眼科の場合で術部１４に到達する光量は脳神経外科の場合の半分にも満たないにも拘らず、術者１６の眼に到達する光量は脳神経外科の半分を満たしている。
【００２０】
（効果）
本実施形態では、透過反射比率変更手段を、ハウジング５に対して、アリ溝１０と鳩尾部１１を利用して、透過と反射の光量割合が１対１の第１ハーフミラー８を内蔵した第１着脱ハウジング９と、透過と反射の光量割合が４対１の第２ハーフミラー１２を内蔵した第２着脱ハウジング１３とを交換して装着する交換手段で構成しているので、従来の手術用顕微鏡に多少の改良を加えるだけで実現できる。また、ハーフミラー８，１２の交換が簡単に実現できる。このハーフミラー８，１２の透過と反射の割合は１対１や４対１に限らなくても同様の効果が得られることは説明するまでもない。さらに別種のハーフミラーをさらに用意し、それと交換して使用するようにしてもよい。
【００２１】
＜第２実施形態＞
図２から図３を参照して本発明の第２実施形態を説明する。
（構成）
この実施形態の手術用顕微鏡においても前記第１実施形態のものと同様、対物レンズ２１を有する対物光学系、、変倍レンズ２２、結像レンズ２３を有する結像光学系、接眼レンズ２４を有する接眼光学系を備えてなる観察光学系が構成される。さらに、光源２６と照明レンズ２７に対物レンズ２１を加えて照明光学系を構成している。そして、観察光学系と照明光学系の各要素が手術用顕微鏡のハウジング２５に内蔵されている。つまり、手術用顕微鏡の観察光学系と照明光学系の各要素は同一のハウジング２５に組み込まれて設置されている。
【００２２】
ここでの変倍レンズ２２、結像レンズ２３、および接眼レンズ２４も前記第１実施形態と同様、紙面に垂直な方向にずれて左右対になって配置され、それぞれが左右の観察光軸を構成する。また対物レンズ２１は左右の観察光軸のものに共用される。
【００２３】
一方、対物レンズ２１と変倍レンズ２２の中間に位置する観察光軸の途中において、照明光学系の光軸は対物側から光源２６側へ直角に屈曲して分岐する。そして、対物側では照明光学系の光軸と観察光学系の光軸は前記共通の対物レンズ２１を通り、同じ術部１４に向かうように同軸的に配置されている。
【００２４】
対物レンズ２１と変倍レンズ２２の中間位置には回転板２８が設置されている。この回転板２８は前記観察光軸に対して４５゜の角度で斜めに配置されている。この回転板２８は前記左右一対の観察光軸の対称軸上の位置で照明光学系の光源２６側の光軸が分岐する位置を通る４５゜の角度の軸を回転軸Ｏ1 として回動自在に取り付けられている。回転板２８の周辺部分は前記ハウジング２５の外に露出し、その露出部分で操作部２９を形成している。
【００２５】
図３は回転軸Ｏ1 の方向から見た回転板２８の表面図を示す。回転板２８には前記対になって配置された左右の観察光軸に相対する位置に対応して配置された一対の第１ハーフミラー３１が設けられており、その第１ハーフミラー３１の透過と反射の光量割合は１対１である。さらに回転板２８には前記第１ハーフミラー３１に対して回転軸Ｏ1 を中心に９０゜回転させた位置において同じく左右の観察光軸に相対する位置に対応して配置された一対の第２ハーフミラー３２が設けられている。この第２ハーフミラー３２の透過と反射の光量割合は４対１である。
【００２６】
そして、この回転板２８は第１ハーフミラー３１と第２ハーフミラー３２を備えた透過反射比率変更手段を構成するものであり、その回転板２８を回転させて、光路上に第１ハーフミラー３１か第２ハーフミラー３２を位置させるべく切り換えることにより透過と反射の光量割合を変更するようになっている。
【００２７】
（作用）
この手術用顕微鏡を例えば脳神経外科の手術に用いる場合には操作部２９を操作して、回転板２８の第１ハーフミラー３１を観察光軸上に位置させて、被観察物体の術部１４を観察する。このときには、まず、光源２６を発した照明光は照明用レンズ２７によりアフォーカル光束となって第１ハーフミラー３１で反射し、対物レンズ２１を通じて術部１４に照射される。術部１４から発した光は対物レンズ２１を通り、第１ハーフミラー３１を透過した後、変倍レンズ２２、結像レンズ２３を順に介して結像面１５に結像される。術者１６はその結像を接眼レンズ２４を介して観察する。
【００２８】
ここで、光源２６を発する光量を「１００」とし、また、レンズなど光学部材による損失を零とすると、術部１４に到達する光量は第１ハーフミラー３１を介すことにより「５０」となり、さらに術者１６に到達する光量は、再び第１ハーフミラー３１を介すことにより「２５」となる。
【００２９】
一方、この同じ手術用顕微鏡を眼科治療においての手術に用いる場合には、操作部２９を操作し、回転板２８を回転軸Ｏ1 まわりに回転し、これまで観察光軸上にあった第１ハーフミラー３１の位置に第２ハーフミラー３２を位置させる。
【００３０】
ここで、前記同様、光源２６を発する光量を「１００」とすると、術部１４に到達する光量は、第２ハーフミラー３２を介すことにより「２０」となり、さらに、術者１６に到達する光量は、再び第２ハーフミラー３２を介すことによって「１６」となり、このような状態で眼科などの手術に用いられる。すなわち眼科の場合で術部１４に到達する光量は脳神経外科の半分に満たないにも拘らず、術者１６の眼に到達する光量は脳神経外科の半分を満たしている。
【００３１】
（効果）
本実施形態は透過反射比率変更手段を、透過と反射の光量割合が１対１の第１ハーフミラー３１と、透過と反射の光量割合が４対１の第２ハーフミラー３２を選択的に光学系に配置せしめるように回転板２８（すなわち配置変更手段）で構成しているので、その変更操作が楽であり、術中における変更も可能である。これは複数の診療科での手術に共用する際に非常に便利である。
【００３２】
また、本実施形態では光源２６、照明レンズ２７および回転板２８を、対物レンズ２１と変倍レンズ２２の間に配置したが、これを変倍レンズ２２と結像レンズ２３の間に配置しても同様の効果が得られることは説明するまでもない。
【００３３】
＜第３実施形態＞
図４を参照して本発明の第３実施形態を説明する。
（構成）
この第３実施形態は前記第２実施形態とは透過反射比率変更手段を構成する回転板２８の構成のみが異なる。それ以外の説明は原則として省略する。
【００３４】
図４は前記第２実施形態の図３に相当する回転板２８の状態を示しており、第２実施形態において別々に配置されていた第１ハーフミラー３１と第２ハーフミラー３２に対応する領域を部分的に透過と反射の光量割合が異なる一体の１枚のハーフミラー４１に置き換えられたものである。すなわち、このハーフミラー４１は１つの中心線Ｐを境にして４１Ｌの部分と４１Ｒの部分の左右の領域に分けられる。それぞれの領域４１Ｌ，４１Ｒではいずれも回転軸Ｏ1 を中心にして矢印４２Ｌ、４２Ｒに向かうに従い連続的に同じ傾向で透過の光量割合が増加し、反射の光量割合が減少すべく構成されている。例えば、点対称的な一対の波線の第１部分４３は透過と反射の光量割合が１対１とし、また、別の位置で点対称的な一対の波線の第２部分４４は透過と反射の光量割合が４対１となっている。その間の部分は透過と反射の光量割合が１対１から４対１の光量割合まで連続的に変化するようになっている。
【００３５】
（作用）
まず、前記回転板２８を回動して、破線の第１部分４３を前記左右の対に観察光軸に対応位置させると、その破線の第１部分４３の透過と反射の光量割合が１対１であるから前記第２実施形態と同様に脳神経外科などの手術に用いるのに適する状態になる。
【００３６】
また、回転板２８を回動操作して、他の破線の第２部分４４を前記左右の対に観察光軸に対応位置させると、その第２部分４４の透過と反射の光量割合が４対１であるから前記第２実施形態と同様に、眼科などの手術に用いるのに適する状態になる。
【００３７】
もちろん、透過と反射の光量割合はその回転板２８の回転角度によって選ぶことができる。このようにして回転板２８の回転角度により任意の透過と反射の光量割合が選択でき、最適な状態で観察することが可能である。
【００３８】
（効果）
第２実施形態の効果に加えて、任意の透過と反射の光量割合が得られるようになったので、手術での応用範囲が広がる。
【００３９】
＜第４実施形態＞
図５を参照して本発明の第４実施形態を説明する。
（構成）
この第４実施形態は前記第２実施形態とは透過反射比率変更手段を構成する回転板２８の構成のみが異なる。それ以外の説明は原則として省略する。
【００４０】
すなわち、回転板２８は、前記第２実施形態に配置されていた第１ハーフミラー３１に相当する部分が穴部５１Ｈと反射部５１Ｍの面積比の等しい穴あきの第１全反射ミラー５１とし、また第２ハーフミラー３２に相当する部分が穴部５２Ｈと反射部５２Ｍの面積比が４対１の穴あきの第２全反射ミラー５２に置き換えられたものである。
【００４１】
（作用）
まず、脳神経外科手術において使用する場合、前記回転板２８を回動して、第１全反射ミラー５１を前記左右の観察光軸に対応位置させる。ここで、光源２６を発する光量を仮に「１００」とし、また、レンズなど光学部材による損失を零として考えると、光源２６を発した光は照明レンズ２７を介してアフォーカル光束となって進み、穴あきの第１全反射ミラー５１の反射部５１Ｍで反射し、光量が「５０」となり、術部１４を照明する。
【００４２】
一方、術部１４からの観察光束も対物レンズ２１を介してアフォーカル光束となるものとして穴あきの第１全反射ミラー５１の穴部５１Ｈを介すことから、その光量は「２５」になる。
以上の如く光量比がアフォーカル光束中の断面積比となるので、穴あき第１全反射ミラー５１は光量の点で前記第１ハーフミラー３１と同じ作用をもたらす。
【００４３】
次に、この手術用顕微鏡を眼科治療の手術に用いる場合には、前記回転板２８を回動して、第２全反射ミラー５２を前記左右の観察光軸に対応位置させる。
ここで、前記同様に光源２６を発する光量を「１００」とする。光源２６を発した光は照明レンズ２７を介してアフォーカル光束となって穴あきの第２全反射ミラー５２の反射部５２Ｍで反射し、光量が「２０」となり、術部１４を照明する。一方、術部１４からの観察光束も対物レンズ２１を介してアフォーカル光束となるものとして穴あき全反射ミラー５２の穴部５２Ｈを通過し、その光量が「１６」になる。
【００４４】
以上の如く、アフォーカル光束中の面積比となるので、穴あきの第２全反射ミラー５２は光量の点で前記第２ハーフミラー３２と同じ作用をもたらす。
（効果）
本実施形態はハーフミラーを使用しないので、コーティング面の光の散乱がなく、観察像が鮮明である。また、観察光束は穴部５１Ｈ，５２Ｈにより絞られているので術部側の焦点深度が深くなる。
【００４５】
＜第５実施形態＞
図６から図８を参照して本発明の第５実施形態を説明する。
（構成）
図６中、６１は手術用顕微鏡の対物光学系の対物レンズである。６２は変倍レンズであり、この変倍レンズ６２に続けて、第１プリズム６３、第２プリズム６４、第３プリズム６５、第４プリズム６６及び第５プリズム６７のプリズム群が配置されている。
【００４６】
そして、第１プリズム６３は図７から明らかなように図６において紙面奥行き方向に光束を偏向せしめる。第２プリズム６４は図８から明らかなように図６において上方に光束を偏向せしめる。第３プリズム６５は図６において水平な紙面左側方向に光束を偏向せしめる。第４プリズム６６は図７から明らかなように図６において紙面手前方向に光束を偏向せしめる。第５プリズム６７は図８から明らかなように図６において上方に光束を偏向せしめる。
【００４７】
図６において第５プリズム６７の上方には結像光学系の結像レンズ６８が設置され、この結像レンズ６８の上方には接眼光学系の接眼レンズ６９が設置されている。これらの光学部材によって観察光学系が構成されている。そして、観察光学系の部材は手術用顕微鏡のハウジング７０に内蔵されている。ここで、前記変倍レンズ６２、結像レンズ６８および接眼レンズ６９は図７及び図８から明らかなように図６の紙面に垂直な方向にずれて２つずつ配置され、左右の観察光軸を形成している。
【００４８】
さらに前記ハウジング７０には照明用光源７１、照明用レンズ７２及び照明用プリズム７３が内蔵されており、この照明用光源７１、照明用レンズ７２及び照明用プリズム７３は前述した対物レンズ６１を通じて光源７１からの照明光を照射する照明光学系を構成している。従って、照明光学系の対物側部分と観察光学系の対物側部分は同軸的に配置されている。
【００４９】
また、術部１４から対物レンズ６１に到る観察光軸および照明光軸を術部１４と観察者の眼を結ぶ直線に対してある角度θを持たせて配置されている。
さらに、対物レンズ６１と変倍レンズ６２の間に位置し、照明用プリズム７３の出射光軸上に位置する個所には前記第２実施形態と同一の回転板２８が配置されている。回転板２８の回転軸Ｏ1 は照明用プリズム７３の出射光軸上で、かつ対物レンズ６１の光軸と変倍レンズ６２の光軸の交点を通る。また、回転板２８に配置された第１ハーフミラー３１の透過と反射の光量割合は第２実施形態と同様に１対１とするが、ここでの第２ハーフミラー３２の透過と反射の光量割合を１対４とする。回転板２８の操作部２９は前記同様、ハウジング７０から外に露出している。
【００５０】
（作用）
この手術用顕微鏡を例えば脳神経外科の手術に用いる場合には図２で示すように回転板２８を回転操作して第１ハーフミラー３１を観察光軸上に位置させて、被観察物体の術部１４を観察する。
【００５１】
まず、光源７１を発した光は照明レンズ７２を介してアフォーカルな光束となり、照明プリズム７３、第１ハーフミラー３１、対物レンズ６１を順に介して集束する照明光となり、術部１４に照射される。術部１４から反射した観察光は対物レンズ６１、第１ハーフミラー３１、変倍レンズ６２、第１〜第５プリズム６３〜６７、結像レンズ６８を順に介して結像面７５に結像され、術者１６はその結像を接眼レンズ６９を介して観察する。
【００５２】
ここで、光源７１を発する光量を仮に「１００」とし、またレンズなど光学部材による損失を零とすると、術部１４に到達する光量は第１ハーフミラー３１を介すことにより「５０」となり、さらに術者１６の眼に到達する光量は、再び第１ハーフミラー３１を介すことにより「２５」となる。
【００５３】
次に、同じ手術用顕微鏡を例えば眼科治療においての手術に用いる場合には、回転板２８を回転操作し、第２ハーフミラー３２を光路上に位置させる。ここで、前記同様に光源７１を発する光量を同じく「１００」とすると、術部１４に到達する光量は第２ハーフミラー３２を介すことにより「２０」となり、さらに術者１６の眼に到達する光量は再び第２ハーフミラー３２を介すことにより「１６」となり、このような状態で眼科などの手術に用いられる。すなわち、眼科の場合で術部１４に到達する光量は脳神経外科の半分に満たないにもかかわらず、術者１６の眼に到達する光量は脳神経外科の半分を満たしている。
【００５４】
（効果）
本実施形態は一部を透過し一部を反射する光透過反射部材であるハーフミラー３１，３２の反射側に観察光学系を配置して第２実施形態と同様の効果を得た。また、本実施形態は術部から、対物レンズや変倍レンズから成る対物光学系、結像レンズや接眼レンズから成る接眼光学系を介して観察者の眼に到る観察光路中に、光束の一部を透過し、他の一部を反射する光透過反射部材を配置し、術部からの観察光束を前記光透過反射部材で反射させて観察すると共に、光源からの照明光束を同じく前記光透過反射部材で透過させて術部に照射する同軸照明を有した手術用顕微鏡において、術部から対物レンズに到る観察光軸および照明光軸を、術部と観察者眼を結ぶ直線に対してある角度θをもたせることにより、光透過反射部材の上方で照明光束と観察光束が重なるのを防止することができる。さらに、前記変倍レンズを前記術部と観察者眼を結ぶ直線上以外に配置しているので、従来の同軸照明を有した手術用顕微鏡の欠点である鏡体長αの延長、すなわち作業空間の減少を防止することができる。
【００５５】
［付記］
（１）被観察物体から対物光学系と接眼光学系を介して観察者の眼に到る観察光路中に、光束の一部を透過し光束の一部を反射する光透過反射部材を配置し、光源からの光束を前記光透過反射部材で反射させて前記被観察物体に照射し前記被観察物体で反射した反射光を前記光透過反射部材で透過させるように設定し、あるいは前記光源からの光束を前記光透過反射部材で透過させて前記被観察物体に照射し前記被観察物体で反射した反射光を前記光透過反射部材で反射させるように設定した同軸的照明方式の手術用顕微鏡において、
前記光透過反射部材の透過と反射の光量割合を変更する透過反射比率変更手段を具備したことを特徴とする手術用顕微鏡。
【００５６】
（２）前記透過反射比率変更手段は、ある透過と反射の光量割合をもつ光透過反射部材を含む部分を、別の透過と反射の光量割合をもつ光透過反射部材を含む部分と交換可能な交換手段で構成されたことを特徴とする第１項に記載の手術用顕微鏡。
【００５７】
（３）前記透過反射比率変更手段は、領域によって異なる透過と反射の光量割合をもつ光透過反射部材と、前記光透過反射部材の前記領域を所定の位置に選択的に配置させることが可能な配置変更手段とで構成されたことを特徴とする第１項に記載の手術用顕微鏡。
【００５８】
（４）前記光透過反射部材は、ハーフミラーで構成されたことを特徴とする第２〜３項に記載の手術用顕微鏡。
（５）前記光透過反射部材は、穴あきミラーで構成されたことを特徴とする第２〜３項に記載の手術用顕微鏡。
【００５９】
【発明の効果】
以上説明したように本発明は、被観察物体から対物光学系と接眼光学系を介して観察者の眼に到る観察光路中に、光束の一部を透過し光束の一部を反射する光透過反射部材を配置し、光源からの光束を前記光透過反射部材で反射させて前記被観察物体に照射し前記被観察物体で反射した反射光を前記光透過反射部材で透過させるように設定し、あるいは前記光源からの光束を前記光透過反射部材で透過させて前記被観察物体に照射し前記被観察物体で反射した反射光を前記光透過反射部材で反射させるように設定した同軸的照明方式の手術用顕微鏡において、前記光透過反射部材の透過と反射の光量割合を変更する透過反射比率変更手段を具備したものであるから、被観察物体を照射する光量を変更しても被観察物体から観察者の眼に到達する光量を確保することができる。従って、例えば、脳神経外科などの手術の際に比べて同軸照明の照明光量を落としてそのまま眼科などの手術に用いても明るい観察像が得られる。
【図面の簡単な説明】
【図１】第１実施形態に係る手術用顕微鏡の概略的な構成の説明図。
【図２】第２実施形態に係る手術用顕微鏡の概略的な構成の説明図。
【図３】同じく第２実施形態に係る手術用顕微鏡の回転板の平面図。
【図４】第３実施形態に係る手術用顕微鏡の回転板の平面図。
【図５】第４実施形態に係る手術用顕微鏡の回転板の平面図。
【図６】第５実施形態に係る手術用顕微鏡の概略的な構成を示す側面図。
【図７】同じく第５実施形態に係る手術用顕微鏡の概略的な構成を示す上面図。
【図８】同じく第５実施形態に係る手術用顕微鏡の概略的な構成を示す正面図。
【符号の説明】
１…対物レンズ、２…変倍レンズ、３…結像レンズ、４…接眼レンズ、５…ハウジング、６…照明用光源、７…照明用レンズ、８…第１ハーフミラー、９…第１着脱ハウジング、１２…第２ハーフミラー、１３…第２着脱ハウジング。
【図１】
0003693760.tif 000002
【図２】
0003693760.tif 000003
【図３】
0003693760.tif 000004
【図４】
0003693760.tif 000005
【図５】
0003693760.tif 000006
【図６】
0003693760.tif 000007
【図７】
0003693760.tif 000008
【図８】
0003693760.tif 000009